(57)【要約】【課題】大掛かりな組付設備を不要とし、面状弾性体の組付作業を容易化できると共に、組付作業のためだけに用いられる部品を不要として部品点数を削減でき、製造コストの低減を図ることを可能とする。【解決手段】面状弾性体１にシートフレーム３へ掛止させるための掛止手段１０を設け、掛止手段１０は、面状弾性体１の端末１ａ，１ｂに接合される基端部１０ａと、シートフレーム３に掛合される先端部１０ｂと、先端部１０ｂから基端部１０ａとは反対側に向けて突設される掛止補助部１１とを有し、掛止補助部１１は、少なくとも一部が先端部１０ｂにおけるシートフレーム３との掛合部位１０ｃから延長した位置と重なって配置されている。これにより、大掛かりな組付設備が不要となり、組付作業のためだけに用いられる部品を不要とすることができるため、組付作業を容易化でき、製造コストの低減を図ることができる。【選択図】図３
2014124278.tif 000002
【特許請求の範囲】
【請求項１】
シートフレームに張設されてシートの座面を構成する面状弾性体の組付構造であって、
前記面状弾性体は、前記シートフレームに掛止する掛止手段を備えており、
前記掛止手段は、
前記面状弾性体の端末に接合される基端部と、
前記シートフレームに掛合される先端部と、
前記先端部から前記基端部とは反対側に向けて突設される掛止補助部と、を有し、
前記掛止補助部は、少なくとも一部が前記先端部における前記シートフレームとの掛合部位から延長した位置と重なって配置されていることを特徴とする面状弾性体の組付構造。
【請求項２】
前記掛止手段は、前記基端部から前記先端部に向けて湾曲した略釣鉤形状をなしており、
前記掛止補助部は、少なくとも一部が前記先端部の延長線上に配置されることを特徴とする請求項１に記載の面状弾性体の組付構造。
【請求項３】
前記掛止手段は、前記基端部から前記先端部に向けて湾曲した略釣鉤形状をなしており、
前記掛止補助部は、少なくとも一部が前記先端部における前記湾曲した内側面の延長線上に配置されることを特徴とする請求項１に記載の面状弾性体の組付構造。
【請求項４】
前記掛止補助部は、一端側が前記先端部に接続され、他端側が前記基端部と高さ方向で重なる位置に配置されていることを特徴とする請求項１〜３のいずれか一項に記載の面状弾性体の組付構造。
【請求項５】
前記掛止補助部は、前記他端側の上面が前記基端部の上面と高さ方向で重なる位置に配置されていることを特徴とする請求項４に記載の面状弾性体の組付構造。
【請求項６】
前記掛止補助部は、前記一端側から前記他端側に向けて湾曲した略釣鉤形状をなしており、
前記一端側から前記他端側に進むにつれ、前記湾曲した内周面の開口が広がる方向に角度が設けられていることを特徴とする請求項１〜５のいずれか一項に記載の面状弾性体の組付構造。
【請求項７】
前記面状弾性体には、パッド材が積層されており、
前記掛止補助部は、前記パッド材の左右方向の移動を規制する規制面を備えていることを特徴とする請求項１〜６のいずれか一項に記載の面状弾性体の組付構造。
【請求項８】
請求項１〜７のいずれか一項に記載の面状弾性体の組付構造を備えることを特徴とする車両用シート。
【発明の詳細な説明】
【技術分野】
【０００１】
本発明は、シートフレームに張設されてシートの座面を構成する面状弾性体の組付構造に関する。
【背景技術】
【０００２】
近年、鉄道や自動車等の車両に搭載される車両用シートにおいては、その座面を、通気性を備えた面状弾性体によって構成する技術が提案され実用されている（例えば、特許文献１参照）。この面状弾性体は、ナイロン，ＰＰ（ポリプロピレン），ＰＥ（ポリエチレン），ＰＥＴ（ポリエチレンテレフタレート）等を用いた合成樹脂繊維からなる織編物であり、シートフレームに張設されてシートの座面を構成する。これにより、当該座面に通気性を付与できると共に、従来のシートの座面を構成する際に要するスプリング部材等を省くことができるため、薄型化・軽量化を図ることができる。よって、面状弾性体の薄さによりスペース効率も向上可能であり、従来のシートと比較して様々なデザインを採用可能となる利点を有している。
【先行技術文献】
【特許文献】
【０００３】
【特許文献１】特開２００２−２１０２７０号公報
【発明の概要】
【発明が解決しようとする課題】
【０００４】
ところで、かかる特許文献１の車両用シートでは、前面側表皮材としての面状弾性体の端部（端末）に取り付けられたフック部材と、裏面側表皮材としての面状弾性体の端末に取り付けられた第２のフック部材とを引っ掛けた状態で係止させることで、矩形枠状に形成されたシートフレームに対し、面状弾性体を張設していた。
【０００５】
しかしながら、かかる特許文献１の車両用シートでは、シートフレームの前方側と後方側との双方から、それぞれ前面側表皮材としての面状弾性体のフック部材と、裏面側表皮材としての面状弾性体の第２のフック部材とを取り回さなければならず、これらを係止させるためには、各々の面状弾性体の弾性力（張力）に抗さなければならない。このため、組付作業が困難な問題があり、組付作業性の向上が求められている。
【０００６】
また、かかる特許文献１の車両用シートとは別の手法として、従来、次のような技術が提案されていた。すなわち、例えば、図７（ａ）に示すように、まず面状弾性体１の対向する端末（例えば、長手方向の両端部１ａ，１ｂ）に、それぞれＪ字形状のフック部材２，２を互いに先端が向き合うように取り付けておく。また、この面状弾性体１を張設するシートフレーム３の対応部位には、面状弾性体１のフック部材２，２を掛止させるための掛止部３ａ，３ａを設けておく。
このとき、面状弾性体１における一方側の端部１ａには、フック部材２の近傍に、シートフレーム３に対し張設する際に用いるタグ１ｃを取り付けておく。このタグ１ｃは、面状弾性体１と同様の材質からなり、面状弾性体１をシートフレーム３に組み付ける際に、図示しない取り付け用の治具を取り付けるためのもので、当該治具によって面状弾性体１を引っ張るために別途設けられている。
【０００７】
次に、図７（ｂ）および図８に示すように、面状弾性体１の他方側の端部１ｂに設けられたフック部材２をシートフレーム３の対応する掛止部３ａに掛止させる。このとき、シートフレーム３は、不図示の治具などを用いて面状弾性体１を引っ張る際の張力に抗するよう固定保持しておく。そして、この状態で面状弾性体１の一方側の端部１ａに別途設けられたタグ１ｃを不図示の取り付け用の治具によって張力に反しながら引っ張り、当該端部１ａ側のフック部材２をシートフレーム３の対応する掛止部３ａに掛止させる（図８の矢印参照）。このようにして、図７（ｃ）および図９に示すように、面状弾性体１のフック部材２，２をシートフレーム３の掛止部３ａ，３ａに掛止させて、面状弾性体１をシートフレーム３に張設する。
【０００８】
しかしながら、かかる技術においては、シートフレーム３を固定保持するための治具や、面状弾性体１を取り付ける際に用いる取り付け用の治具など、大掛かりな組付設備が必要であり、組付作業が困難な問題があった。加えて、面状弾性体１に取り付け用の治具を取り付けるためのタグ１ｃを別途設ける必要があり、組付作業のためだけに用いる部品によって部品点数が増加し製造コストが嵩む問題もあった。
【０００９】
そこで、本発明は上述した事情に鑑みてなされたもので、大掛かりな組付設備を不要とし、組付作業を容易化できると共に、組付作業のためだけに用いられる部品を不要として部品点数を削減でき、かくして製造コストの低減を図ることができる面状弾性体の組付構造を実現することを目的とする。
【課題を解決するための手段】
【００１０】
以上の課題を解決するため、請求項１に記載の発明は、シートフレームに張設されてシートの座面を構成する面状弾性体の組付構造であって、
前記面状弾性体は、前記シートフレームに掛止する掛止手段を備えており、
前記掛止手段は、
前記面状弾性体の端末に接合される基端部と、
前記シートフレームに掛合される先端部と、
前記先端部から前記基端部とは反対側に向けて突設される掛止補助部と、を有し、
前記掛止補助部は、少なくとも一部が前記先端部における前記シートフレームとの掛合部位から延長した位置と重なって配置されていることを特徴とする。
【００１１】
請求項２に記載の発明は、請求項１に記載の面状弾性体の組付構造において、
前記掛止手段は、前記基端部から前記先端部に向けて湾曲した略釣鉤形状をなしており、
前記掛止補助部は、少なくとも一部が前記先端部の延長線上に配置されることを特徴とする。
【００１２】
請求項３に記載の発明は、請求項１に記載の面状弾性体の組付構造において、
前記掛止手段は、前記基端部から前記先端部に向けて湾曲した略釣鉤形状をなしており、
前記掛止補助部は、少なくとも一部が前記先端部における前記湾曲した内側面の延長線上に配置されることを特徴とする。
【００１３】
請求項４に記載の発明は、請求項１〜３のいずれか一項に記載の面状弾性体の組付構造において、
前記掛止補助部は、一端側が前記先端部に接続され、他端側が前記基端部と高さ方向で重なる位置に配置されていることを特徴とする。
【００１４】
請求項５に記載の発明は、請求項４に記載の面状弾性体の組付構造において、
前記掛止補助部は、前記他端側の上面が前記基端部の上面と高さ方向で重なる位置に配置されていることを特徴とする。
【００１５】
請求項６に記載の発明は、請求項１〜５のいずれか一項に記載の面状弾性体の組付構造において、
前記掛止補助部は、前記一端側から前記他端側に向けて湾曲した略釣鉤形状をなしており、
前記一端側から前記他端側に進むにつれ、前記湾曲した内周面の開口が広がる方向に角度が設けられていることを特徴とする。
【００１６】
請求項７に記載の発明は、請求項１〜６のいずれか一項に記載の面状弾性体の組付構造において、
前記面状弾性体には、パッド材が積層されており、
前記掛止補助部は、前記パッド材の左右方向の移動を規制する規制面を備えていることを特徴とする。
【００１７】
請求項８に記載の発明は、シートフレームに張設されてシートの座面を構成する面状弾性体を有する車両用シートであって、請求項１〜７のいずれか一項に記載の面状弾性体の組付構造を備えることを特徴とする。
【発明の効果】
【００１８】
請求項１に記載の発明によれば、面状弾性体に、シートフレームに掛止する掛止手段を設け、当該掛止手段は、面状弾性体の端末に接合される基端部と、シートフレームに掛合される先端部と、この先端部から基端部とは反対側に向けて突設される掛止補助部と、を有するようにした。このとき、掛止補助部は、少なくとも一部が先端部におけるシートフレームとの掛合部位から延長した位置と重なって配置されている。これにより、掛止手段の先端部から突設した掛止補助部を、剛性を確保しつつ形成することができる。このため、面状弾性体をシートフレームに組み付ける際、当該面状弾性体の両端末に設けられた掛止手段の掛止補助部を簡単な取り付け治具などによって、張力に反するように引っ張りながらシートフレームの掛止部へと掛止させることができる。よって、従来のような大掛かりな組付設備が不要となり、面状弾性体の組付作業を容易化できる。これと共に、組付作業のためだけに用いられる部品を別途設ける必要がないため、部品点数を削減できる。かくして、製造コストの低減を図ることができる。
【００１９】
請求項２に記載の発明によれば、掛止手段が基端部から先端部に向けて湾曲した略釣鉤形状をなしており、掛止補助部は、少なくとも一部が先端部の延長線上に配置されるので、先端部に対する掛止補助部の取付剛性を確保できる。
【００２０】
請求項３に記載の発明によれば、掛止手段が基端部から先端部に向けて湾曲した略釣鉤形状をなしており、掛止補助部は、少なくとも一部が先端部における湾曲した内側面の延長線上に配置されるので、先端部に対する掛止補助部の取付剛性を確保できる。
【００２１】
請求項４に記載の発明によれば、掛止補助部は、一端側が先端部に接続され、他端側が基端部と高さ方向で重なる位置に配置されているので、面状弾性体をシートフレームに張設して座面を構成した際、当該座面から掛止補助部、つまり掛止手段が突出することを未然に防止することができる。よって、面状弾性体の組付作業を簡易化しつつ、シート利用者に対して座ったときに異物（座面から突出する掛止手段）による違和感を与えることなく、快適な座り心地を確保できる。
【００２２】
請求項５に記載の発明によれば、掛止補助部は、他端側の上面が基端部の上面と高さ方向で重なる位置に配置されているので、面状弾性体をシートフレームに張設して座面を構成した際、当該座面から掛止補助部、つまり掛止手段が突出することを確実に防止することができる。よって、面状弾性体の組付作業を簡易化しつつ、シート利用者に対して座ったときに異物（座面から突出する掛止手段）による違和感を与えることなく、より快適な座り心地を確保できる。
【００２３】
請求項６に記載の発明によれば、掛止補助部は、一端側から他端側に向けて湾曲した略釣鉤形状をなしており、一端側から他端側に進むにつれ、湾曲した内周面の開口が広がる方向に角度が設けられているので、面状弾性体の組付作業時において、当該掛止補助部に対する取り付け治具の取り付けや取り外しを容易化でき、組付作業効率を格段と向上させることができる。
【００２４】
請求項７に記載の発明によれば、面状弾性体には、パッド材が積層されており、掛止補助部は、パッド材の左右方向の移動を規制する規制面を備えているので、面状弾性体をシートフレームに対して張設した後においても、シートフレームの左右方向（すなわち、長手方向）に向けた座面の移動を規制することができるため、当該掛止補助部を規制部品として機能させることができる。
【００２５】
請求項８に記載の発明によれば、シートフレームに張設されてシートの座面を構成する面状弾性体を有する車両用シートとして、請求項１〜７のいずれか一項に記載の面状弾性体の組付構造を備えるので、大掛かりな組付設備が不要で、面状弾性体の組付作業を容易化できると共に、部品点数を削減でき、製造コストの低減を図ることができる車両用シートを実現できる。このとき、当該車両用シートの構成部品（掛止手段）における剛性を確保できると共に、面状弾性体の組付作業を簡易化しつつ、シート利用者に対して座ったときに異物（座面から突出する掛止手段）による違和感を与えることなく、快適な座り心地を確保できる。しかも、当該車両用シートを構成する面状弾性体の組付作業時において、当該掛止補助部に対する取り付け治具の取り付けや取り外しを容易化でき、組付作業効率を格段と向上させることができる。加えて、その面状弾性体をシートフレームに対して張設した後においても、当該掛止補助部をシートフレームの左右方向に向けた座面の移動を規制する規制部品として機能させることができる。
【図面の簡単な説明】
【００２６】
【図１】本発明の一実施形態に係る面状弾性体の組付構造を示す全体斜視図である。
【図２】図１のシートフレームを部分的に拡大して示す分解斜視図であり、（ａ）はシートフレームのみを示す斜視図、（ｂ）は組み付け前の面状弾性体およびシートフレームを示す斜視図、（ｃ）はシートフレームに面状弾性体を組み付けた様子を示す斜視図である。
【図３】図２（ｃ）におけるＢ−Ｂ断面を示す断面図である。
【図４】組付作業の説明に供する要部拡大断面図であり、（ａ）は取り付け用治具の一例を示す断面図、（ｂ）は取り付け用治具の他の例を示す断面図である。
【図５】面状弾性体をシートフレームに組み付ける様子を示す側断面図である。
【図６】本発明の他の実施形態における掛止手段を示す拡大断面図である。
【図７】従来における面状弾性体の組付構造の説明に供する、シートフレームを部分的に拡大して示す分解斜視図であり、（ａ）は組み付け前の面状弾性体およびシートフレームを示す斜視図、（ｂ）はシートフレームに面状弾性体を組み付ける途中の様子を示す斜視図、（ｃ）はシートフレームに面状弾性体を組み付けた様子を示す斜視図である。
【図８】図７（ｃ）におけるＡ−Ａ断面を示す断面図である。
【図９】図８における要部を拡大して示す部分拡大断面図である。
【発明を実施するための形態】
【００２７】
以下、本発明の一実施形態について、図面を参照しながら詳細に説明する。
図１は、本実施形態に係る面状弾性体の組付構造を示す全体斜視図であり、図２は、図１のシートフレームを部分的に拡大して示すと共に、図７との対応部分に同一符号を付した分解斜視図であり、（ａ）はシートフレームのみを示す斜視図、（ｂ）は組み付け前の面状弾性体およびシートフレームを示す斜視図、（ｃ）はシートフレームに面状弾性体を組み付けた様子を示す斜視図である。図３は、図２（ｃ）におけるＢ−Ｂ断面を示す断面図であり、図４は、組付作業の説明に供する要部拡大断面図であり、（ａ）は取り付け用治具の一例を示す断面図、（ｂ）は取り付け用治具の他の例を示す断面図である。また、図５は、面状弾性体をシートフレームに組み付ける様子を示す側断面図である。
【００２８】
なお、本実施形態では車両用シートとして、鉄道（電車等）の車両に搭載されるシートに適用する場合について述べるが、一例であってこれに限らず、車両用シートとしては、この他、自動車などの車両に関する乗物用シートも含むものとする。
また、本実施形態の説明に供する図１〜図６は、上述した従来の説明に供する図７〜９との対応部分に同一符号を付して示しており、本実施形態における面状弾性体１の組付構造と従来の組付構造との差異点は、面状弾性体１に対して別途、設けられていた組付作業用のタグ１ｃが廃止されている点と、掛止手段１０の形状が異なる点であり、その詳細について、以下に説明する。従って、共通することに関しては、便宜上、詳細な説明を割愛するものとする。
【００２９】
図１に示すように、本実施形態における鉄道の車両用シートの場合、シートフレーム３が略矩形状の枠体からなり、そこに張設される面状弾性体１も同様に略矩形状をなしている。なお、これは一例であって、シートフレーム３の形状および面状弾性体１の形状は、これに限ることはない。
【００３０】
さて、図２〜図５に示すように、車両用シートの座面を構成する面状弾性体１は、その対向する端末である両端部１ａ，１ｂに、それぞれシートフレーム３の掛止部３ａ，３ａへ掛止させるための掛止手段１０が設けられている。この掛止手段１０は、面状弾性体１の一方の端部１ａおよび他方の端部１ｂに接合される基端部１０ａと、シートフレーム３に掛合される先端部１０ｂと、先端部１０ｂから基端部１０ａとは反対側に向けて突設される掛止補助部１１とを有している。このとき、掛止補助部１１は、少なくとも一部が先端部１０ｂにおけるシートフレーム３との掛合部位１０ｃから延長した位置と重なって配置されている。
【００３１】
具体的に、図３に示すように、掛止手段１０は、基端部１０ａから先端部１０ｂに向けて湾曲した略釣鉤形状（換言すれば、Ｊ字形状）をなすフック部材であり、基端部１０ａから先端部１０ｂに掛けて湾曲した部位、すなわちシートフレーム３との掛合部位１０ｃが第１フック部として機能する。
【００３２】
また、掛止補助部１１は、一端１１ａ側が第１フック部における先端部１０ｂに接続され、他端１１ｂ側に向けて湾曲した略釣鉤形状（換言すれば、Ｊ字形状）をなすフック部材であり、一端１１ａ側から他端１１ｂ側に掛けて湾曲した部位が第２フック部として機能する。そして、この第２フック部（掛止補助部１１）は、後述するように面状弾性体１を組み付ける際に使用される組付作業用の部材であるが、従来のように、組付作業用に別途、配設されるような部材とは異なっている。すなわち、本実施形態の場合、これら第１フック部と第２フック部とが、一体的に成形されることで掛止手段１０が構成されている。
【００３３】
かかる第２フック部として機能する掛止補助部１１は、上述したように、少なくとも一部が上記掛合部位１０ｃから延長した位置と重なって配置されている。
より具体的には、掛止補助部１１は、少なくとも一部が第１フック部における先端部１０ｂの延長線上に配置されているか、または、少なくとも一部が第１フック部における先端部１０ｂにおける湾曲した内側面１０ｄの延長線上に配置されていることが好ましい。
これにより、第１フック部に対する第２フック部（掛止補助部１１）の取付剛性を確保できると共に、当該掛止補助部１１に対し、図４（ａ）または図４（ｂ）に示すような簡単な取り付け治具２０，２１を掛合させ、当該取り付け治具２０，２１によって面状弾性体１の外方に向けた張力を掛けるようにして、面状弾性体１をシートフレーム３に張設させることができるようになっている。すなわち、面状弾性体１の組付作業を簡易化することができるようになっている。
【００３４】
このとき、掛止補助部１１は、図３に示すように、他端１１ｂ側が第１フック部の基端部１０ａと高さ方向で重なる位置に配置されるか、他端１１ｂ側の上面が第１フック部の基端部１０ａの上面と高さ方向で重なる位置に配置されることが望ましい。
これにより、図５に示すように、面状弾性体１をシートフレーム３に張設して座面を構成した際、当該座面から掛止補助部１１、つまり掛止手段１０が突出することを未然に防止することができるようになっている。よって、上述したように、面状弾性体１の組付作業を簡易化しつつ、シート利用者に対して座ったときに異物（座面から突出する掛止手段１０）による違和感を与えることなく、快適な座り心地を確保できるようになっている。
【００３５】
しかも、図３に示すように、第２フック部としての掛止補助部１１は、一端１１ａ側から他端１１ｂ側に進むにつれ、湾曲した内周面１１ｃの開口１１ｄが広がる方向に角度が設けられている。これにより、面状弾性体１の組付作業時において、当該掛止補助部１１に対する取り付け治具２０，２１（図４参照）の取り付けや取り外しを容易化でき、組付作業効率を格段と向上させることができるようになっている。
【００３６】
さらに、面状弾性体１に不図示のパッド材が積層される場合、掛止補助部１１は、パッド材の左右方向（すなわち、シートフレームの長手方向）へ向けた移動を規制する規制面１１ｅを備えている。これにより、面状弾性体１をシートフレーム３に対して張設した後においても、シートフレーム３の長手方向に向けた座面の移動を規制することができるようになっている。このため、当該掛止補助部１１を規制部品として機能させることが可能になっている。
【００３７】
以上、説明したように、本実施形態によれば、面状弾性体１に、シートフレーム３に掛止する掛止手段１０を設け、当該掛止手段１０は、面状弾性体１の端末である両端部１ａ，１ｂに接合される基端部１０ａと、シートフレーム３に掛合される先端部１０ｂと、この先端部１０ｂから基端部１０ａとは反対側に向けて突設される掛止補助部１１と、を有するようにした。このとき、掛止補助部１１は、少なくとも一部が先端部１０ｂにおけるシートフレーム３との掛合部位１０ｃから延長した位置と重なって配置されている。これにより、掛止手段１０の先端部１０ｂから突設した掛止補助部１１を、剛性を確保しつつ形成することができる。このため、面状弾性体１をシートフレーム３に組み付ける際、当該面状弾性体１の両端部１ａ，１ｂに設けられた掛止手段１０の掛止補助部１１を簡単な取り付け治具２０，２１などによって、張力に反するように引っ張りながらシートフレーム３の掛止部３ａ，３ａへと掛止させることができる。よって、従来のような大掛かりな組付設備が不要となり、面状弾性体１の組付作業を容易化できる。これと共に、組付作業のためだけに用いられる部品を別途設ける必要がないため、部品点数を削減できる。かくして、製造コストの低減を図ることができる。
【００３８】
このとき、掛止手段１０が基端部１０ａから先端部１０ｂに向けて湾曲した略釣鉤形状をなしており、掛止補助部１１は、少なくとも一部が先端部１０ｂの延長線上に配置されるか、少なくとも一部が先端部１０ｂにおける湾曲した内側面１０ｄの延長線上に配置されることが好ましく、この場合、先端部１０ｂに対する掛止補助部１１の取付剛性を確保できる利点を有することができる。
【００３９】
さらに、掛止補助部１１は、一端１１ａ側が先端部１０ｂに接続され、他端１１ｂ側が基端部１０ａと高さ方向で重なる位置に配置されているので、面状弾性体１をシートフレーム３に張設して座面を構成した際、当該座面から掛止補助部１１、つまり掛止手段１０が突出することを未然に防止することができる。よって、面状弾性体１の組付作業を簡易化しつつ、シート利用者に対して座ったときに異物（座面から突出する掛止手段１０）による違和感を与えることなく、快適な座り心地を確保できる。
【００４０】
また、掛止補助部１１は、他端１１ｂ側の上面が基端部１０ａの上面と高さ方向で重なる位置に配置されているので、面状弾性体１をシートフレーム３に張設して座面を構成した際、当該座面から掛止補助部１１、つまり掛止手段１０が突出することを確実に防止することができる。よって、面状弾性体１の組付作業を簡易化しつつ、シート利用者に対して座ったときに異物（座面から突出する掛止手段１０）による違和感を与えることなく、より快適な座り心地を確保できる。
【００４１】
しかも、掛止補助部１１は、一端１１ａ側から他端１１ｂ側に向けて湾曲した略釣鉤形状をなしており、一端１１ａ側から他端１１ｂ側に進むにつれ、湾曲した内周面１１ｃの開口１１ｄが広がる方向に角度が設けられているので、面状弾性体１の組付作業時において、当該掛止補助部１１に対する取り付け治具２０，２１の取り付けや取り外しを容易化でき、組付作業効率を格段と向上させることができる。
【００４２】
また、面状弾性体１にパッド材が積層される場合、掛止補助部１１は、当該パッド材の左右方向への移動を規制する規制面１１ｅを備えているので、面状弾性体１をシートフレーム３に対して張設した後においても、シートフレーム３の左右方向（すなわち、長手方向）に向けた座面の移動を規制することができるため、当該掛止補助部１１を規制部品として機能させることができる。
【００４３】
なお、本発明は、上述した実施形態に限定されることなく、本発明の趣旨を逸脱しない範囲において、適宜、種々の改良および設計の変更が可能である。
【００４４】
例えば、上述した実施形態においては、掛止手段１０を、先端部１０ｂが下方に向けて配置された状態の第１フック部における掛合部位１０ｃに対して、第２フック部としての掛止補助部１１が、その他端１１ｂを上方に向けて開口１１ｄを配置した状態で一体的に成形される場合について述べたが、本発明はこれに限らず、第１フック部に対する第２フック部の配置態様は、この他、本実施形態とは反対に（つまり、下向きの第１フック部に対して下向きとなるように）第２フック部を配置するようにしても良い。また、第２フック部としての掛止補助部１１の形状も、この他種々の形状を広く適用することができ、例えば、図６に示すように、略くさび形に突出するような形状でも良い。この場合、当該くさび形状の掛止補助部１２を組付作業者が直接手で持ち、組付作業することも可能であり、面状弾性体１の組付作業性を一段と簡易にすることができる利点を有している。
【００４５】
また、上述した実施形態では、図２において、掛止手段１０が面状弾性体１の両端部１ａ，１ｂにおけるそれぞれの全体に亙って形成されている場合について図示したが、本発明はこれに限ることはなく、掛止手段１０としては、面状弾性体１の四隅や、対向する端部１ａ，１ｂにおける略中央部などのみに設けるようにしても良い。この場合であっても、実用上十分な面状弾性体１の組付構造を実現可能とすることができる。但し、組付状態における安定性からすると、上述した実施形態のように、各端部１ａ、１ｂの全体に亙って形成されていることが好ましい。
【符号の説明】
【００４６】
１…面状弾性体
１ａ…一方の端部（端末）
１ｂ…他方の端部（端末）
３…シートフレーム
３ａ…掛止部
１０…掛止手段（フック部材）
１０ａ…基端部
１０ｂ…先端部
１０ｃ…掛合部位
１０ｄ…内側面
１１…掛止補助部
１１ａ…一端
１１ｂ…他端
１１ｃ…内周面
１１ｄ…開口
１１ｅ…規制面
１２…掛止補助部
２０，２１…取り付け治具
【図１】
2014124278.tif 000003
【図２】
2014124278.tif 000004
【図３】
2014124278.tif 000005
【図４】
2014124278.tif 000006
【図５】
2014124278.tif 000007
【図６】
2014124278.tif 000008
【図７】
2014124278.tif 000009
【図８】
2014124278.tif 000010
【図９】
2014124278.tif 000011